(57)【要約】      （修正有）【課題】腰を深く曲げることができない人であっても、独りで楽に靴下を履くことができる靴下装着補助具を提供する。【解決手段】靴下装着者の足１０の足底に接する底板部１と、足の踵部及び甲部を左右両側から被うように底板部１の後端部両側縁から一体に立ち上がる横断面略ハの字状の左右一対の側板部２とからなる補助具本体３、及びこの補助具本体３の側板部２の後端部に取り付けられたループ状の操操作紐４によって構成され、補助具本体３の左右両側板部２は底板部１の上に折り重なるように弾性変形可能である。【選択図】図４
0003149391.tif 000002
【実用新案登録請求の範囲】
【請求項１】
靴下装着者の足の足底に接する底板部と、足の踵部及び甲部を左右両側から被うように底板部の後端部両側縁から一体に立ち上がる横断面略ハの字状の左右一対の側板部とからなる補助具本体、及び補助具本体の底板部の後端部に取り付けられたループ状の操作紐によって構成され、補助具本体の左右両側板部は底板部の上に折り重なるように弾性変形可能となっている靴下装着補助具。
【請求項２】
補助具本体の底板部の後端には、足に装着された靴下の履口内に突っ込んで靴下を容易に脱がせるようにするための舌片が突設されている請求項１に記載の靴下装着補助具。
【請求項３】
補助具本体は、プラスチック製の芯材と、この芯材の内周面を被い、足に接する側に配置される内被材と、芯材の外周面を被い、靴下に接する側に配置される外被材とからなり、内被材は、足に対して滑り易い生地によって形成され、外被材は、靴下に対して滑り難い生地によって形成されている請求項１又は２に記載の靴下装着補助具。
【請求項４】
舌片は、プラスチック製の芯材と一体に形成されている請求項３に記載の靴下装着補助具。
【請求項５】
舌片は、その先端部が内側に湾曲するように形成されている請求項２〜４の何れかに記載の靴下装着補助具。
【考案の詳細な説明】
【技術分野】
【０００１】
本考案は、靴下装着補助具に関するものである。
【背景技術】
【０００２】
高齢者、腰や膝に障害があって、足先まで手が届きにくい人、妊婦、肥満の人等にとっては、腰を深く曲げた姿勢で靴下を履くことは非常に困難で苦痛を伴う。従って、そのような人達の間では、助者に頼ることなく、独りで且つ楽に靴下を履くことができるような靴下装着補助具が市場に出回ることが望まれている。
【考案の開示】
【考案が解決しようとする課題】
【０００３】
そこで、本考案は、腰を深く曲げることができない人であっても、独りで楽に靴下を履くことができる靴下装着補助具を提供することを目的とする。
【課題を解決するための手段】
【０００４】
上記課題を解決するための手段を、後述する実施形態の参照番号を付して説明すると、請求項１に係る考案の靴下装着補助具は、靴下装着者の足１０の足底１０ａに接する底板部１と、足の踵部１０ｂ及び甲部１０ｃを左右両側から被うように底板部１の後端部両側縁から一体に立ち上がる横断面略ハの字状の左右一対の側板部２，２とからなる補助具本体３、及びこの補助具本体３の側板部２の後端部に取り付けられたループ状の操作紐４によって構成され、補助具本体３の左右両側板部２，２は底板部１の上に折り重なるように弾性変形可能となっていることを特徴とする。
【０００５】
請求項２は、請求項１に記載の靴下装着補助具において、補助具本体３の底板部１の後端には、足１０に装着された靴下１１の履口１１ａ内に突っ込んで靴下１１を容易に脱がせるようにするための舌片５が突設されていることを特徴とする。
【０００６】
請求項３は、請求項１又は２に記載の靴下装着補助具において、補助具本体３は、プラスチック製の芯材６と、この芯材６の内周面を被い、足１０に接する側に配置される内被材７と、芯材６の外周面を被い、靴下１１に接する側に配置される外被材８とからなり、内被材７は、足１０に対して滑り易い生地によって形成され、外被材８は、靴下１１に対して滑り難い生地によって形成されていることを特徴とする。
【０００７】
請求項４は、請求項３に記載の靴下装着補助具において、舌片５は、プラスチック製の芯材６と一体に形成されていることを特徴とする。
【０００８】
請求項５は、請求項２〜４の何れかに記載の靴下装着補助具において、舌片５はその先端部５ａが内側に湾曲するように形成されていることを特徴とする。
【考案の効果】
【０００９】
上記解決手段による考案の効果を、後述する実施形態の参照番号を付して説明すると、請求項１に係る考案の靴下装着補助具によれば、使用にあたり、補助具本体３の左右両側板部２，２をその弾性に抗して底板部１上に折り重ねた状態で、この補助具本体３を先端から半分程度まで靴下１１内に挿入し、挿入後は、補助具本体３の両側板部２，２が弾性により元形に復帰して靴下１１の履口１１ａを膨らませるから、この状態で補助具本体３内に足１０を挿入しながら、操作紐４を引っ張ると、足１０が靴下１１の中に滑り込んで、足１０に靴下１１を装着させることができる。このように、この靴下装着補助具を使用すれば、靴下装着者は、腰を少し曲げるだけで、独りで楽に靴下を履くことができる。この場合、操作紐４がループ状になっていることもあって、靴下装着者は、片手で容易に靴下を履くことができる。また靴下装着者は、床に座った状態でも靴下を履くことができるが、好ましくは靴下装着者が椅子等に腰をかけた状態で作業を行うと、靴下装着作業が一層楽になる。
【００１０】
請求項２に係る考案によれば、履いた靴下１１を脱ぐ時に、靴下装着者は、補助具本体３を持って、底板部１の後端に突設されている舌片５を靴下１１の履口１１ａ内に突っ込んで、その履口１１ａを剥がすようにすることにより、靴下１１を容易に脱がせることができる。
【００１１】
請求項３に係る考案によれば、補助具本体３は、芯材６と、この芯材６の内周面を被い、足に接する側に配置される内被材７と、芯材６の外周面を被い、靴下に接する側に配置される外被材８とからなるもので、内被材７は、足に対し滑り易い生地により形成され、外被材８は、靴下１１に対して滑り難い生地によって形成されているから、靴下１１内に半分程度挿し込んだ補助具本体３内に足１０を挿入しながら、操作紐４を引っ張る時に、足１０を靴下１１の中に迅速スムーズに滑り込ませることができながら、補助具本体３は靴下１１から抜けにくくなるため、靴下装着作業を迅速容易に行うことができる。また、芯材６はプラスチックで形成されているため、製作が容易であると共に、補助具本体３の軽量化を図ることができる。
【００１２】
請求項４に係る考案によれば、舌片５をプラスチック製の芯材６と一体に形成することによって、製作が容易となる。
【００１３】
請求項５に係る考案によれば、舌片５は、その先端部５ａが内側に湾曲するように形成されているから、靴下１１の履口１１ａ内に突っ込む際に、舌片５の湾曲した先端部５ａの凸曲面５ｂが足１０にやわらかく接触し、感触良く突っ込ませることができる。
【考案を実施するための最良の形態】
【００１４】
以下に本考案の好適な実施形態について図面を参照しながら説明すると、図１は本考案に係る靴下装着補助具の斜視図であり、図２の(a) は同靴下装着補助具の主要部の平面図、(b) は正面図、(c) は(a) のＸ−Ｘ線断面図であり、図３の(a) は図２の(b) のＹ−Ｙ線断面図、(b) は図２の(b) のＶ−Ｖ線断面図、(c) は図２の(b) のＷ−Ｗ線断面図である。この靴下装着補助具は、図３の(a) に示すように靴下装着者の足１０の足底１０ａに接する底板部１と、足１０の踵部１０ｂ及び甲部１０ｃを左右両側から被うように底板部１の後端部両側縁から一体に立ち上がって底板部１と同じ長さ延びる横断面略ハの字状の左右一対の側板部２，２とからなる補助具本体３、及びこの補助具本体３の底板部１の後端部に取り付けられたループ状の操作紐４とから構成されている。
【００１５】
補助具本体３の底板部１と各側板部２とは、両者間にその前端から後端側にかけて切欠形成された切欠溝１２のところで互いに切り離され、両者間の後端部に形成された連結部１３のところで一体につながっており、しかして左右両側板部２，２は、その連結部１３の弾性によって底板部１の上に折り重なるように弾性変形可能となっている。また補助具本体３の底板部１の後端には、足１０に装着された靴下１１の履口１１ａ内に突っ込んで靴下１１を容易に脱がせるようにするための舌片５が突設されている。
【００１６】
補助具本体３は、硬質のプラスチックによって一体形成された芯材６と、この芯材６の内周面を被い、靴下装着者の足１０に接する側に配置される内被材７と、芯材６の外周面を被い、靴下１１の内周面に接する側に配置される外被材８とからなるもので、内被材７は、ナイロン地のように足に対して滑り易い生地によって形成され、外被材８は、パイル地のように靴下１１に対して滑り難い生地によって形成され、そして内被材７と外被材８とはそれらの周縁部どうしが縫い合わされて袋状になっている。
【００１７】
舌片５は、図３の(a) から分かるように、補助具本体３のプラスチック製芯材６と一体に形成されている。この舌片５は、補助具本体３の芯材６とは別個にプラスチックで形成したものを例えば接着剤によって底板部１の芯材６部分に接合するようにしてもよいが、この実施形態のように補助具本体３の芯材６と一体に形成すれば、製作が容易となる。
【００１８】
操作紐４は、帯状に形成された１本の比較的厚い布地からなるもので、その両端部が底板部１の後端部に縫着されて、ループ状に形成されている（図１参照）。
【００１９】
上記のように構成される靴下装着補助具を使用して靴下１１を履く場合について説明すると、先ず、補助具本体３の左右両側板部２，２をその弾性に抗して底板部１上に折り重ねた状態で、この補助具本体３を先端から略半分程度まで靴下１１内にその履口１１ａから挿入する。挿入後は、補助具本体３の両側板部２，２が弾性により元の形に復帰して、靴下１１の履口１１ａを膨らませる。
【００２０】
次に、操作紐４を掴んで、靴下１１内に半分程度挿入し補助具本体３を足１０の入れ易い姿勢に保持し、この状態で図４の(a) 及び(b) に示すように、補助具本体３内に足１０を挿入しながら、操作紐４を引っ張ると、足１０が靴下１１の中に滑り込んで、足１０に靴下１１を装着した状態となる。この後、操作紐４を更に引っ張ることによって、補助具本体３を靴下１１から抜き取り、靴下１１の装着を終了する。
【００２１】
この靴下装着補助具を使用すれば、靴下装着者は、腰を少し曲げるだけで、独りで楽に靴下１１を履くことができる。この場合、操作紐４がループ状になっていることもあって、図示のように、靴下装着者は片手で容易に靴下１１を履くことができる。因みに、操作紐４がループ状になっていない場合は、両手で操作する必要があり、片手の不自由な装着者には使用できない恐れがある。このように片手で靴下を履けるのが、この考案の靴下装着補助具の大きな特徴である。また靴下装着者は、床に座った状態でもあるいは立った状態でも楽に靴下を履くことができるが、好ましくは靴下装着者が椅子等に腰を下ろした状態で作業を行うと、靴下装着作業が一層楽になる。
【００２２】
上記のようにして履いた靴下１１を脱ぐ時には、靴下装着者は、補助具本体３を持って底板部１の後端に突設されている舌片５を、図５に示すように靴下１１の履口１１ａ内に突っ込んで、その履口１１ａを剥がすようにすることにより、靴下１１を容易に脱がせることができる。そしてこの際、舌片５は、その先端部５ａを図２の(b) に示すように若干内側に湾曲するように形成することが好ましい。これによって、舌片５を靴下１１の履口１１ａ内に突っ込む際に、舌片５の湾曲した先端部５ａの凸曲面５ｂが足１０にやわらかく接触し、感触良く突っ込ませることができる。
【００２３】
また、この靴下装着補助具の補助具本体３は、芯材６と、この芯材６の内周面を被い、足に接する側に配置される内被材７と、芯材６の外周面を被い、靴下に接する側に配置される外被材８とからなるもので、内被材７は、ナイロン地のように足に対して滑り易い生地によって形成され、外被材８は、パイル地のように靴下１１に対して滑り難い生地によって形成されているから、靴下１１内に半分程度挿し込んだ補助具本体３内に足１０を挿入しつつ操作紐４を引っ張る時に、足１０を靴下１１の中に迅速スムーズに滑り込ませることができながら、補助具本体３が靴下１１から抜けにくくなるため、靴下装着作業を迅速容易に行うことができる。また芯材６は、プラスチックで一体形成されているため、製作が容易であると共に、補助具本体３の軽量化を図ることができる。
【図面の簡単な説明】
【００２４】
【図１】本考案に係る靴下装着補助具の斜視図である。
【図２】(a) は同靴下装着補助具の主要部の平面図、(b) は正面図、(c) は(a) のＸ−Ｘ線断面図である。
【図３】(a) は図２の(b) のＹ−Ｙ線断面図、(b) は図２の(b) のＶ−Ｖ線断面図、(c) は図２の(b) のＷ−Ｗ線断面図である。
【図４】(a) 及び(b) は本発明に係る靴下装着補助具の使用方法を説明する斜視図である。
【図５】同じく靴下装着補助具の使用方法を説明する斜視図である。
【符号の説明】
【００２５】
１            底板部
２            側板部
３            補助具本体
４            操作紐
５            舌片
６            芯材
７            内被材
８            外被材
１０          足
１１          靴下
１２          切欠溝
１３          連結部
【図１】
0003149391.tif 000003
【図２】
0003149391.tif 000004
【図３】
0003149391.tif 000005
【図４】
0003149391.tif 000006
【図５】
0003149391.tif 000007